(57)【要約】  無線通信システムにおいて、ユーザ端末（ＵＥ）によりセカンダリセルグループ（ＳＣＧ）構成を維持する方法及びそれをサポートする装置が提供される。前記方法は、基地局から無線アクセスネットワーク（ＲＡＮ）ページングメッセージを受信するステップと、前記ＲＡＮページングメッセージに基づいて、前記ＵＥに格納されたＳＣＧ構成を維持するか否かを決定するステップと、前記ＲＡＮページングメッセージがセカンダリ基地局に関する情報を含む場合、ＲＲＣ再開手順においてＳＣＧ構成を維持するステップとを含むことができる。
2020528684.tif 000002
【特許請求の範囲】
【請求項１】
無線通信システムにおいてユーザ端末（ＵＥ）によりセカンダリセルグループ（ＳＣＧ）構成を維持する方法であって、前記方法は、
基地局から無線アクセスネットワーク（ＲＡＮ）ページングメッセージを受信するステップと、
前記ＲＡＮページングメッセージに基づいて、前記ＵＥに格納されたＳＣＧ構成を維持するか否かを決定するステップと、
前記ＲＡＮページングメッセージがセカンダリ基地局に関する情報を含む場合、ＲＲＣ再開手順においてＳＣＧ構成を維持するステップとを含む、ＳＣＧ構成維持方法。
【請求項２】
前記ＳＣＧ構成は、前記ＲＲＣ再開手順を開始するときに維持される、請求項１に記載のＳＣＧ構成維持方法。
【請求項３】
前記セカンダリ基地局に関する情報は、前記ＲＡＮページングメッセージが前記セカンダリ基地局において受信されたデータにより誘発されることを指示する、請求項１に記載のＳＣＧ構成維持方法。
【請求項４】
前記セカンダリ基地局において受信されたデータは、ゲートウェイから前記セカンダリ基地局に送信されるデータである、請求項３に記載のＳＣＧ構成維持方法。
【請求項５】
前記ＲＡＮページングメッセージはマスタ基地局により生成される、請求項３に記載のＳＣＧ構成維持方法。
【請求項６】
前記データが前記セカンダリ基地局において受信される場合、前記セカンダリノードにおいて受信されたデータを指示する指示が前記セカンダリノードから前記マスタ基地局に送信される、請求項５に記載のＳＣＧ構成維持方法。
【請求項７】
前記データが前記セカンダリ基地局において受信される場合、前記セカンダリノードにおいて受信されたデータは、前記セカンダリノードから前記マスタ基地局に送信される、請求項５に記載のＳＣＧ構成維持方法。
【請求項８】
前記セカンダリ基地局に関する情報は、前記セカンダリ基地局により割り当てられたＲＡＮ  ＵＥ  ＩＤである、請求項１に記載のＳＣＧ構成維持方法。
【請求項９】
前記ＲＡＮページングメッセージは前記セカンダリ基地局により生成される、請求項８に記載のＳＣＧ構成維持方法。
【請求項１０】
前記セカンダリ基地局に関する情報は、前記セカンダリノードが前記ＵＥを区別できるように前記マスタ基地局により割り当てられたＲＡＮ  ＵＥ  ＩＤである、請求項１に記載のＳＣＧ構成維持方法。
【請求項１１】
前記基地局は、マスタ基地局又は前記セカンダリ基地局のうち１つである、請求項１に記載のＳＣＧ構成維持方法。
【請求項１２】
前記ＳＣＧ構成が維持されるか否かを指示するＲＲＣ接続再開要求に対するメッセージを前記基地局に送信するステップをさらに含む、請求項１に記載のＳＣＧ構成維持方法。
【請求項１３】
前記ＲＡＮページングメッセージが前記セカンダリ基地局に関する情報を含まない場合、前記ＲＲＣ再開手順を開始する前に前記ＳＣＧ構成を解除するステップをさらに含む、請求項１に記載のＳＣＧ構成維持方法。
【請求項１４】
前記ＵＥは、ＲＲＣ＿ＩＮＡＣＴＩＶＥ状態である、請求項１に記載のＳＣＧ構成維持方法。
【請求項１５】
無線通信システムにおいてセカンダリセルグループ（ＳＣＧ）構成を維持するユーザ端末（ＵＥ）であって、前記ＵＥは、
メモリと、
送受信機と、
プロセッサとを備えてなり、
前記プロセッサは、
前記メモリ及び前記送受信機に接続され、
基地局から無線アクセスネットワーク（ＲＡＮ）ページングメッセージを受信するように前記送受信機を制御し、
前記ＲＡＮページングメッセージに基づいて、前記ＵＥに格納されたＳＣＧ構成を維持するか否かを決定し、
前記ＲＡＮページングメッセージがセカンダリ基地局に関連する情報を含む場合、ＲＲＣ再開手順でＳＣＧ構成を維持するものである、ＵＥ。
【発明の詳細な説明】
【技術分野】
【０００１】
本発明は、無線通信に関し、より詳細には、ユーザ端末（ＵＥ）がセカンダリセルグループ（ＳＣＧ）構成を維持又は解除する方法及びこれをサポートする装置に関する。
【背景技術】
【０００２】
４Ｇ（４ｔｈ−Ｇｅｎｅｒａｔｉｏｎ）通信システム商用化以後、増加する無線データトラフィック需要を満たすために、改善された５Ｇ（５ｔｈ−Ｇｅｎｅｒａｔｉｏｎ）通信システムまたはｐｒｅ−５Ｇ通信システムを開発するための努力が行われている。このような理由で、５Ｇ通信システムまたはｐｒｅ−５Ｇ通信システムは、４Ｇネットワーク以後（ｂｅｙｏｎｄ  ４Ｇ  ｎｅｔｗｏｒｋ）通信システムまたはＬＴＥ（ｌｏｎｇ  ｔｅｒｍ  ｅｖｏｌｕｔｉｏｎ）システム以後（ｐｏｓｔ  ＬＴＥ）以後のシステムと呼ばれている。
【発明の概要】
【発明が解決しようとする課題】
【０００３】
一方、ＮＲの設計目標は、ＵＥが「常に接続された」状態を維持することであるため、ＲＲＣ＿ＣＯＮＮＥＣＴＥＤのＵＥを除いては大部分のＵＥがＲＲＣ＿ＩＮＡＣＴＩＶＥに留まる可能性が高い。従って、ＤＣ構成を有するＲＲＣ＿ＩＮＡＣＴＩＶＥへのＲＲＣ接続中断がサポートされることがあり得る。ＤＣで構成されたＵＥがＲＲＣ＿ＩＮＡＣＴＩＶＥに移動すると、ＲＲＣ＿ＩＮＡＣＴＩＶＥにある間、ＮＧ−ＲＡＮ接続が維持されるため、データ（例えば、ユーザプレーンデータ）はセカンダリノード（ＳＮ）に到達することができる。この場合、データ及び／又はシグナリングを受信するために、セカンダリセルグループ（ＳＣＧ）ベアラを再開することがより有利である。しかしながら、ＲＲＣ＿ＩＮＡＣＴＩＶＥのＵＥは、事前に構成されたＲＮＡ内のネットワークに通知なしに移動することができるため、ＵＥに格納されたＳＣＧ構成は有効でないことがあり得る。また、インカミングデータ及び／又はマスタノード（ＭＮ）でのシグナリングによりＲＡＮページングされても、まだ有効でないＳＣＧ構成を再開しなくてもよい。従って、ＲＡＮページングを受信するとき、ＵＥがＳＣＧ構成を効率的に管理する方法及びそれをサポートする装置が提案される必要がある。
【課題を解決するための手段】
【０００４】
一実施形態は、ユーザ端末（ＵＥ）によりセカンダリセルグループ（ＳＣＧ）構成を維持する方法を提供する。前記方法は、基地局から無線アクセスネットワーク（ＲＡＮ）ページングメッセージを受信するステップと、前記ＲＡＮページングメッセージに基づいて、前記ＵＥに格納されたＳＣＧ構成を維持するか否かを決定するステップと、前記ＲＡＮページングメッセージがセカンダリ基地局に関する情報を含む場合、ＲＲＣ再開手順においてＳＣＧ構成を維持するステップと、を含むことができる。
【０００５】
他の実施形態は、無線通信システムにおいてセカンダリセルグループ（ＳＣＧ）構成を維持するユーザ端末（ＵＥ）を提供する。前記ＵＥは、メモリと、送受信機と、前記メモリ及び前記送受信機に接続されて基地局から無線アクセスネットワーク（ＲＡＮ）ページングメッセージを受信するように前記送受信機を制御し、前記ＲＡＮページングメッセージに基づいて前記ＵＥに格納されたＳＣＧ構成を維持するか否かを決定し、前記ＲＡＮページングメッセージがセカンダリ基地局に関する情報を含む場合、ＲＲＣ再開手順においてＳＣＧ構成を維持するプロセッサと、を含むことができる。
【発明の効果】
【０００６】
ＲＲＣ再開手順においてＳＣＧ構成を維持することができる。
【図面の簡単な説明】
【０００７】
【図１】本発明の技術的特徴が適用できる無線通信システムの例を示す。
【図２】本発明の技術的特徴が適用できる無線通信システムの他の例を示す。
【図３】本発明の技術的特徴が適用できるユーザプレーンプロトコルスタックのブロック図を示す。
【図４】本発明の技術的特徴が適用できる制御プレーンプロトコルスタックのブロック図を示す。
【図５】本発明の技術的特徴が適用できるＮＧ−ＲＡＮと５ＧＣとの間の機能的な分割を示す。
【図６】本発明の技術的特徴が適用できるＥＰＣを利用したＭＲ−ＤＣのアーキテクチャを示す。
【図７】本発明の技術的特徴が適用できるＵＥによりトリガーされるＲＲＣ状態遷移（ｔｒａｎｓｉｔｉｏｎ）手順を示す。
【図８】本発明の技術的特徴が適用できるネットワークによりトリガーされるＲＲＣ状態遷移手順を示す。
【図９】本発明の一実施形態によるＲＡＮページングに応答してＳＣＧ構成を処理するための手順を示す。
【図１０】本発明の一実施形態によるＲＡＮページングに応答してＳＣＧ構成を解除する手順を示す。
【図１１】本発明の一実施形態によるＲＡＮページングに応答してＳＣＧ構成を維持する手順を示す。
【図１２】本発明の一実施形態によるＵＥがＳＣＧ構成を維持する方法を示すブロック図である。
【図１３】本発明の実施形態が実現される無線通信システムのブロック図である。
【発明を実施するための形態】
【０００８】
以下に記述された技術的特徴は、３ＧＰＰ（３ｒｄ  Ｇｅｎｅｒａｔｉｏｎ  Ｐａｒｔｎｅｒｓｈｉｐ  Ｐｒｏｊｅｃｔ）標準化機構の通信標準、ＩＥＥＥ（ｉｎｓｔｉｔｕｔｅ  ｏｆ  ｅｌｅｃｔｒｉｃａｌ  ａｎｄ  ｅｌｅｃｔｒｏｎｉｃｓ  ｅｎｇｉｎｅｅｒｓ）の通信標準などにおいて使用されることができる。例えば、３ＧＰＰ標準化機構による通信標準にはＬＴＥ（ｌｏｎｇ−ｔｅｒｍ  ｅｖｏｌｕｔｉｏｎ）及び／又はＬＴＥシステムの進化が含まれる。ＬＴＥシステムの進化にはＬＴＥ−Ａ（ＬＴＥ−Ａｄｖａｎｃｅｄ）、ＬＴＥ−Ａ  Ｐｒｏ及び／又は５Ｇ  Ｎｅｗ  Ｒａｄｉｏ（ＮＲ）が含まれる。ＩＥＥＥ標準化機構の通信標準にはＩＥＥＥ  ８０２．１１ａ／ｂ／ｇ／ｎ／ａｃ／ａｘのようＮＷＬＡＮ（ｗｉｒｅｌｅｓｓ  ｌｏｃａｌ  ａｒｅａ  ｎｅｔｗｏｒｋ）システムが含まれる。前述したシステムは、ダウンリンク（ＤＬ）及び／又はアップリンク（ＵＬ）のための直交周波数分割多重アクセス（ＯＦＤＭＡ）及び／又は単一搬送波周波数分割多重アクセス（ＳＣ−ＦＤＭＡ）などの多様な多重アクセス技術を使用する。例えば、ＤＬにはＯＦＤＭＡのみが使用され、ＵＬにはＳＣ−ＦＤＭＡのみが使用されることができる。代案的に、ＯＦＤＭＡ及びＳＣ−ＦＤＭＡはＤＬ及び／又はＵＬに使用されることができる。
【０００９】
図１は、本発明の技術的特徴が適用できる無線通信システムの例を示す。具体的に、図１は、進化したＵＭＴＳ地上無線アクセスネットワーク（ｅｖｏｌｖｅｄ−ＵＭＴＳ  ｔｅｒｒｅｓｔｒｉａｌ  ｒａｄｉｏ  ａｃｃｅｓｓ  ｎｅｔｗｏｒｋ：Ｅ−ＵＴＲＡＮ）に基づいたシステムアーキテクチャを示す。前述したＬＴＥは、Ｅ−ＵＴＲＡＮを使う進化したＵＴＭＳ（ｅ−ＵＭＴＳ）の一部である。
【００１０】
図１に示すように、無線通信システムは、１つ以上のユーザ端末（ＵＥ）１０、Ｅ−ＵＴＲＡＮ及び進化されたパケットコア（ｅｖｏｌｖｅｄ  ｐａｃｋｅｔ  ｃｏｒｅ：ＥＰＣ）を含む。ＵＥ１０は、ユーザにより携帯（ｃａｒｒｙ）される通信機器を示す。ＵＥ１０は固定的であるか、モバイルであり得る。ＵＥ１０は、移動局（ｍｏｂｉｌｅ  ｓｔａｔｉｏｎ：ＭＳ）、ユーザ端末（ｕｓｅｒ  ｔｅｒｍｉｎａｌ：ＵＴ）、加入者局（ｓｕｂｓｃｒｉｂｅｒ  ｓｔａｔｉｏｎ：ＳＳ）、無線機器（ｗｉｒｅｌｅｓｓ  ｄｅｖｉｃｅ）などの他の用語と呼ばれてもよい。
【００１１】
Ｅ−ＵＴＲＡＮは、１つ以上の基地局（ＢＳ）２０で構成される。ＢＳ２０は、Ｅ−ＵＴＲＡユーザプレーン及び制御プレーンプロトコル終端をＵＥ１０に提供する。ＢＳ２０は、一般的に、ＵＥ１０と通信する固定局である。ＢＳ２０は、セル間の無線リソース管理（ｉｎｔｅｒ−ｃｅｌｌ  ｒａｄｉｏ  ｒｅｓｏｕｒｃｅ  ｍａｎａｇｅｍｅｎｔ：ＭＭＥ）、無線ベアラ（ＲＢ）制御、接続移動性制御、無線許可制御、測定構成、動的リソース割り当て（スケジューラ）などの機能をホストする。ＢＳは、ｅＮＢ（ｅｖｏｌｖｅｄ  ＮｏｄｅＢ）、ＢＴＳ（Ｂａｓｅ  Ｔｒａｎｓｃｅｉｖｅｒ  Ｓｙｓｔｅｍ）、ＡＰ（Ａｃｃｅｓｓ  Ｐｏｉｎｔ）などの他の用語と呼ばれてもよい。
【００１２】
ダウンリンク（ＤＬ）は、ＢＳ２０からＵＥ１０への通信を意味する。アップリンク（ＵＬ）は、ＵＥ１０からＢＳ２０への通信を意味する。サイドリンク（ＳＬ）は、ＵＥ１０間の通信を意味する。ＤＬにおいて、送信機はＢＳ２０の一部であり得るし、受信機はＵＥ１０の一部であり得る。ＵＬにおいて、送信機はＵＥ１０の一部であり得るし、受信機はＢＳ２０の一部であり得る。ＳＬにおいて、送信機及び受信機はＵＥ１０の一部であり得る。
【００１３】
ＥＰＣは、移動性管理エンティティ（ＭＭＥ）、サービングゲートウェイ（Ｓ−ＧＷ）及びパケットデータネットワーク（ＰＤＮ）ゲートウェイ（Ｐ−ＧＷ）を含む。ＭＭＥは、ＮＡＳ（Ｎｏｎ−Ａｃｃｅｓｓ  Ｓｔｒａｔｕｍ）セキュリティ、遊休状態移動性処理、ＥＰＳ（Ｅｖｏｌｖｅｄ  Ｐａｃｋｅｔ  Ｓｙｓｔｅｍ）ベアラ制御などの機能をホストする。Ｓ−ＧＷは、移動性アンカリングなどの機能をホストする。Ｓ−ＧＷは、Ｅ−ＵＴＲＡＮをエンドポイントとして有するゲートウェイである。便宜上、ＭＭＥ／Ｓ−ＧＷ３０は、本明細書で簡単に「ゲートウェイ」と称されるが、このエンティティはＭＭＥ及びＳ−ＧＷを全て含むものと理解される。Ｐ−ＧＷは、ＵＥインターネットプロトコル（ＩＰ）アドレス割り当て、パケットフィルタリングなどの機能をホストする。Ｐ−ＧＷは、ＰＤＮをエンドポイントとして有するゲートウェイである。Ｐ−ＧＷが外部ネットワークに接続されている。
【００１４】
ＵＥ１０は、Ｕｕインタフェースを介してＢＳ２０に接続される。ＵＥ１０は、ＰＣ５のインタフェースを介して相互接続される。ＢＳ２０は、Ｘ２インタフェースにより相互接続される。ＢＳ２０はまた、Ｓ１インタフェースによりＥＰＣに、より具体的には、Ｓ１−ＭＭＥインタフェースによりＭＭＥに、Ｓ１−ＵインタフェースによりＳ−ＧＷに接続される。Ｓ１インタフェースは、ＭＭＥ／Ｓ−ＧＷとＢＳ間の多対多関係（ｍａｎｙ−ｔｏ−ｍａｎｙ  ｒｅｌａｔｉｏｎ）をサポートする。
【００１５】
図２は、本発明の技術的特徴が適用できる無線通信システムの他の例を示す。具体的に、図２は、５Ｇ新しい無線アクセス技術（ｎｅｗ  ｒａｄｉｏ  ａｃｃｅｓｓ  ｔｅｃｈｎｏｌｏｇｙ：ＮＲ）システムに基づいたシステムアーキテクチャを示す。５Ｇ  ＮＲシステムにおいて使用されるエンティティ（以下、簡単に「ＮＲ」という。）は、図１に導入されたエンティティ（例えば、ｅＮＢ、ＭＭＥ、Ｓ−ＧＷ）の機能の一部又は全部を吸収（ａｂｓｏｒｂ）する。ＮＲシステムにおいて使われるエンティティは、ＬＴＥ／ＬＴＥ−Ａと区別するために「ＮＧ」という名で識別できる。
【００１６】
図２に示すように、無線通信システムは、１つ以上のＵＥ１１、次世代ＲＡＮ（ＮＧ−ＲＡＮ）及び５世代コアネットワーク（５ＧＣ）を含む。ＮＧ−ＲＡＮは、１つ以上のＮＧ−ＲＡＮノードで構成される。ＮＧ−ＲＡＮノードは、図１に示すＢＳ２０に対応するエンティティである。ＮＧ−ＲＡＮノードは、少なくとも１つのｇＮＢ２１及び／又は少なくとも１つのｎｇ−ｅＮＢ２２で構成される。ｇＮＢ２１は、ＵＥ１１に対するＮＲユーザプレーン及び制御プレーンプロトコル終端（ｔｅｒｍｉｎａｔｉｏｎ）を提供する。ｎｇ−ｅＮＢ２２は、ＵＥ１１に向けたＥ−ＵＴＲＡユーザプレーン及び制御プレーンプロトコル終端を提供する。
【００１７】
５ＧＣは、アクセス及び移動性管理機能（ＡＭＦ）、ユーザプレーン機能（ＵＰＦ）及びセッション管理機能（ＳＭＦ）を含む。ＡＭＦは、ＮＡＳセキュリティ、遊休状態移動性処理などの機能をホストする。ＡＭＦは、既存ＭＭＥの機能を含むエンティティである。ＵＰＦは、移動性アンカー、ＰＤＵ（Ｐｒｏｔｏｃｏｌ  Ｄａｔａ  Ｕｎｉｔ）処理などの機能をホストする。ＵＰＦは、従来のＳ−ＧＷの機能を含むエンティティである。ＳＭＦは、ＵＥ  ＩＰアドレス割り当て、ＰＤＵセッション制御などの機能をホストする。
【００１８】
ｇＮＢとｎｇ−ｅＮＢは、Ｘｎインタフェースを介して互いに接続される。ｇＮＢ及びｎｇ−ｅＮＢはまた、ＮＧインタフェースを介して５ＧＣに、より具体的に、ＮＧ−Ｃインタフェースを介してＡＭＦに、ＮＧ−Ｕインタフェースを介してＵＰＦに接続される。
【００１９】
前述したネットワークエンティティ間のプロトコル構造を説明する。図１及び／又は図２のシステム上において、ＵＥとネットワーク間の無線インタフェースプロトコルの層（例えば、ＮＧ−ＲＡＮ及び／又はＥ−ＵＴＲＡＮ）は、通信システムにおいてよく知られている開放型システム間相互接続（ｏｐｅｎ  ｓｙｓｔｅｍ  ｉｎｔｅｒｃｏｎｎｅｃｔｉｏｎ：ＯＳＩ）モデルの下位３つの層をベースとする第１層（Ｌ１）、第２層（Ｌ２）及び第３層（Ｌ３）に分類される。
【００２０】
図３は、本発明の技術的特徴が適用できるユーザプレーンプロトコルスタックのブロック図を示す。図４は、本発明の技術的特徴が適用できる制御プレーンプロトコルスタックのブロック図を示す。図３及び図４に示すユーザ／制御プレーンプロトコルスタックがＮＲに使用される。しかしながら、図３及び図４に示すユーザ／制御プレーンプロトコルスタックは、ｇＮＢ／ＡＭＦをｅＮＢ／ＭＭＥに代替することにより一般性の損失なしにＬＴＥ／ＬＴＥ−Ａに使用されることができる。
【００２１】
図３及び図４に示すように、物理（ＰＨＹ）層は、Ｌ１に属する。ＰＨＹ層は、ＭＡＣ（Ｍｅｄｉａ  Ａｃｃｅｓｓ  Ｃｏｎｔｒｏｌ）サブ層及び上位層に情報送信サービスを提供する。ＰＨＹ層は、ＭＡＣサブ層送信チャネルを提供する。ＭＡＣサブ層とＰＨＹ層間のデータは送信チャネルを介して送信される。相異なるＰＨＹ層間、すなわち、送信側のＰＨＹ層と受信側のＰＨＹ層との間において、データは物理チャネルを介して送信される。
【００２２】
ＭＡＣサブ層はＬ２に属する。ＭＡＣサブ層の主要サービス及び機能は、論理チャネルと送信チャネルとの間のマッピング、送信チャネル上の物理階層に／から伝達される送信ブロック（ＴＢ）へ／からの１つ又は他の論理チャネルに属するＭＡＣサービスデータユニット（ＳＤＵ）のマルチプレクシング／デマルチプレクシング、スケジューリング情報報告、ＨＡＲＱ（ｈｙｂｒｉｄ  ａｕｔｏｍａｔｉｃ  ｒｅｐｅａｔ  ｒｅｑｕｅｓｔ）によるエラー訂正、動的スケジューリングによるＵＥ間の優先順位処理、論理チャネル優先順位（ＬＣＰ）による１つのＵＥの論理チャネル間の優先順位処理などを含む。ＭＡＣサブ層は、無線リンク制御（ＲＬＣ）サブ層論理チャネルに提供される。
【００２３】
ＲＬＣサブ層はＬ２に属する。ＲＬＣサブ層は、無線ベアラにより要求される多様なサービス品質（ＱｏＳ）を保障するために３つの送信モード、すなわち、透明モード（ｔｒａｎｓｐａｒｅｎｔ  ｍｏｄｅ：ＴＭ）、未承認モード（ｕｎａｃｋｎｏｗｌｅｄｇｅｄ  ｍｏｄｅ：ＵＭ）及び承認モード（ａｃｋｎｏｗｌｅｄｇｅｄ  ｍｏｄｅ：ＡＭ）をサポートする。ＲＬＣサブ層の主要サービス及び機能は送信モードに依存する。例えば、ＲＬＣサブ層は、３つのモード全てに対して上位層ＰＤＵの送信を提供するが、ＡＭに対してのみＡＲＱによるエラー訂正を提供する。ＬＴＥ／ＬＴＥ−Ａにおいて、ＲＬＣサブ層は、ＲＬＣ  ＳＤＵの連接（ｃｏｎｃａｔｅｎａｔｉｏｎ）、分割（ｓｅｇｍｅｎｔａｔｉｏｎ）及び再組立（ｒｅａｓｓｅｍｂｌｙ）（ＵＭ及びＡＭデータ送信専用）及びＲＬＣデータＰＤＵの再分割（ＡＭデータ送信専用）を提供する。ＮＲにおいて、ＲＬＣサブ層は，ＲＬＣ  ＳＤＵの分割（ＡＭ及びＵＭ専用）及び再分割（ＡＭ専用）及びＳＤＵの再組立（ＡＭ及びＵＭ専用）を提供する。すなわち、ＮＲは、ＲＬＣ  ＳＤＵの連接をサポートしない。ＲＬＣサブ層は、ＰＤＣＰ（Ｐａｃｋｅｔ  Ｄａｔａ  Ｃｏｎｖｅｒｇｅｎｃｅ  Ｐｒｏｔｏｃｏｌ）サブ層ＲＬＣチャネルを提供する。
【００２４】
ＰＤＣＰサブ層はＬ２に属する。ユーザプレーンのためのＰＤＣＰサブ層の主要サービス及び機能は、ヘッダ圧縮及び圧縮解除、ユーザデータ送信、重複検出、ＰＤＣＰ  ＰＤＵルーティング、ＰＤＣＰ  ＳＤＵの再送信、暗号化及び解読などを含む。ＰＤＣＰの主要サービス及び機能制御プレーンのサブ層には暗号化及び無欠性保護、制御プレーンデータの送信などが含まれる。
【００２５】
サービスデータ適応プロトコル（ＳＤＡＰ）サブ層はＬ２に属する。ＳＤＡＰサブ層はユーザプレーンにおいてのみ定義される。ＳＤＡＰサブ層はＮＲに対してのみ定義される。ＳＤＡＰの主要サービス及び機能には、ＱｏＳフローとＤＲＢ（Ｄａｔａ  Ｒａｄｉｏ  Ｂｅａｒｅｒ）間のマッピング、ＤＬ及びＵＬパケットの両方ともにおいてＱｏＳフローＩＤ（ＱＦＩ）をマーキング（ｍａｒｋｉｎｇ）することが含まれる。ＳＤＡＰサブ層は５ＧＣ  ＱｏＳフローを提供する。
【００２６】
ＲＲＣ（Ｒａｄｉｏ  Ｒｅｓｏｕｒｃｅ  Ｃｏｎｔｒｏｌ）層はＬ３に属する。ＲＲＣ層は、制御プレーンにおいてのみ定義される。ＲＲＣ層は、ＵＥとネットワークとの間の無線リソースを制御する。このために、ＲＲＣ層は、ＵＥと基地局間にＲＲＣメッセージを交換する。ＲＲＣ層の主要サービス及び機能は、ＡＳ及びＮＡＳに関するシステム情報のブロードキャスト、ＵＥとネットワーク間のＲＲＣ接続のページング、設定、維持保守及び解除、キー管理、設定、構成、維持保守を含むセキュリティ機能及び無線ベアラの解除、移動性機能、ＱｏＳ管理機能、ＵＥ測定報告及び報告制御、ＮＡＳとＵＥ間にＮＡＳメッセージ送信を含むことができる。
【００２７】
言い換えると、ＲＲＣ層は、無線ベアラの構成、再構成及び解除と関連して論理チャネル、送信チャネル及び物理チャネルを制御する。無線ベアラは、ＵＥとネットワークとの間のデータ送信のためにＬ１（ＰＨＹ層）及びＬ２（ＭＡＣ／ＲＬＣ／ＰＤＣＰ／ＳＤＡＰサブ層）により提供される論理経路を示す。無線ベアラを設定することは、特定サービスを提供するための無線プロトコル層及びチャネルの特性を定義し、それぞれの特定パラメータ及び動作方法を設定することを意味する。無線ベアラは、ＳＲＢ（Ｓｉｇｎａｌｉｎｇ  ＲＢ）とＤＲＢ（Ｄａｔａ  ＲＢ）に分けられる。ＳＲＢは、制御プレーンにおいてＲＲＣメッセージを送信するための経路として使用され、ＤＲＢは、ユーザプレーンにおいてユーザデータを送信するための経路として使用される。
【００２８】
ＲＲＣ状態は、ＵＥのＲＲＣ層がＥ−ＵＴＲＡＮのＲＲＣ層に論理的に接続されているか否かを示す。ＬＴＥ／ＬＴＥ−Ａにおいて、ＵＥのＲＲＣ層とＥ−ＵＴＲＡＮのＲＲＣ層との間にＲＲＣ接続が確立（ｅｓｔａｂｌｉｓｈ）されると、ＵＥは、ＲＲＣ接続状態（ＲＲＣ＿ＣＯＮＮＮＥＣＴＥＤ）にあることになる。そうでないと、ＵＥは、ＲＲＣ遊休状態（ＲＲＣ＿ＩＤＬＥ）にある。ＮＲにおいて、ＲＲＣ非活性状態（ＲＲＣ＿ＩＮＡＣＴＩＶＥ）が追加で導入される。ＲＲＣ＿ＩＮＡＣＴＩＶＥは、様々な目的で使用されることができる。例えば、大規模マシンタイプ通信（ｍａｓｓｉｖｅ  ｍａｃｈｉｎｅ  ｔｙｐｅ  ｃｏｍｍｕｎｉｃａｔｉｏｎｓ：ＭＭＴＣ）のＵＥがＲＲＣ＿ＩＮＡＣＴＩＶＥにおいて効率的に管理されることがある。特定条件が満足されると、前記３つの状態のうち１つから他の状態に遷移が行われる。
【００２９】
ＲＲＣ状態に応じて所定の動作が行われることができる。ＲＲＣ＿ＩＤＬＥにおいて、ＮＡＳにより構成されたＰＬＭＮ（ｐｕｂｌｉｃ  ｌａｎｄ  ｍｏｂｉｌｅ  ｎｅｔｗｏｒｋ）選択、システム情報（ＳＩ）のブロードキャスト、セル再選択移動性、コアネットワーク（ＣＮ）ページング及び不連続受信（ＤＲＸ）が行われることがある。ＵＥは、追跡領域においてＵＥを固有に識別する識別子（ＩＤ）が割り当てられるべきである。基地局に格納されたＲＲＣコンテキストはない。
【００３０】
ＲＲＣ＿ＣＯＮＮＥＣＴＥＤにおいて、ＵＥは、ネットワーク（すなわち、Ｅ−ＵＴＲＡＮ／ＮＧ−ＲＡＮ）とのＲＲＣ接続を有する。ＵＥに対するネットワークＣＮ接続（Ｃ／Ｕプレーン両方とも）も設定される。ＵＥ  ＡＳコンテキストは、ネットワーク及びＵＥに格納される。ＲＡＮは、ＵＥが属するセルを知っている。ネットワークはＵＥとデータを送受信することができる。測定を含むネットワーク制御移動性が行われる。
【００３１】
ＲＲＣ＿ＩＤＬＥにおいて行われる大部分の動作は、ＲＲＣ＿ＩＮＡＣＴＩＶＥにおいて行われることができる。しかしながら、ＲＲＣ＿ＩＤＬＥにおいてＣＮページングの代わりにＲＲＣ＿ＩＮＡＣＴＩＶＥにおいてＲＡＮページングが行われる。言い換えると、ＲＲＣ＿ＩＤＬＥにおいて、モバイル終端（ＭＴ）データに対するページングはコアネットワークにより開始され、ページング領域はコアネットワークにより管理される。ＲＲＣ＿ＩＮＡＣＴＩＶＥにおいて、ページングはＮＧ−ＲＡＮにより開始され、ＲＡＮベース通知領域（ＲＮＡ）はＮＧ−ＲＡＮにより管理される。また、ＲＲＣ＿ＩＤＬＥにおいてＮＡＳで構成されたＣＮページング用のＤＲＸの代わりに、ＲＡＮページング用のＤＲＸはＲＲＣ＿ＩＮＡＣＴＩＶＥにおいてＮＧ−ＲＡＮで構成される。一方、ＲＲＣ＿ＩＮＡＣＴＩＶＥにおいては、ＵＥに対して５ＧＣ−ＮＧ−ＲＡＮ接続（Ｃ／Ｕプレーン両方とも）が設定され、ＵＥ  ＡＳコンテキストはＮＧ−ＲＡＮとＵＥに格納される。ＮＧ−ＲＡＮは、ＵＥが属するＲＮＡを知っている。
【００３２】
ＮＡＳ層は、ＲＲＣ層の上部（ｔｏｐ）にある。ＮＡＳ制御プロトコルは、認証、移動性管理、セキュリティ制御などの機能を行う。
【００３３】
物理チャネルは、ＯＦＤＭプロセシングによって変調され、無線リソースとして時間及び周波数を利用する。物理チャネルは、時間領域において複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルと周波数領域において複数のサブ搬送波で構成される。１つのサブフレームは、時間領域において複数のＯＦＤＭシンボルで構成される。リソースブロックはリソース割り当て単位であり、複数のＯＦＤＭシンボルと複数のサブ搬送波で構成される。また、それぞれのサブフレームは、物理ダウンリンク制御チャネル（ＰＤＣＣＨ）、すなわち、Ｌ１／Ｌ２制御チャネルに対して対応するサブフレームの特定ＯＦＤＭシンボル（例えば、第１ＯＦＤＭシンボル）の特定サブ搬送波を使用することができる。送信時間間隔（ＴＴＩ）は、リソース割り当てのためにスケジューラが使用する基本時間単位である。ＴＴＩは、１つ又は複数のスロット単位で定義されることもでき、ミニスロット単位で定義されることもできる。
【００３４】
送信チャネルは、無線インタフェースを介してデータが送信される方式と特性によって分類される。ＤＬ送信チャネルは、システム情報の送信に使用されるブロードキャストチャネル（ＢＣＨ）、ユーザトラフィック又は制御信号の送信に使用されるＤＬ−ＳＣＨ（Ｄｏｗｎｌｉｎｋ  Ｓｈａｒｅｄ  Ｃｈａｎｎｅｌ）及びＵＥをページングに使用されるＰＣＨ（Ｐａｇｉｎｇ  Ｃｈａｎｎｅｌ）を含む。ＵＬ送信チャネルは、ユーザトラフィック又は制御信号を送信するためのアップリンク共有チャネル（ＵＬ−ＳＣＨ）及びセルに対する初期アクセスに一般的に使用されるランダムアクセスチャネル（ＲＡＣＨ）を含む。
【００３５】
ＭＡＣサブ層において他の種類のデータ送信サービスを提供する。各論理チャネルタイプは、送信される情報タイプに応じて定義される。論理チャネルは、制御チャネルとトラフィックチャネルの２つのグループに分類される。
【００３６】
制御チャネルは、制御プレーン情報の送信にのみ使用される。制御チャネルは、ブロードキャスト制御チャネル（ＢＣＣＨ）、ページング制御チャネル（ＰＣＣＨ）、共通制御チャネル（ＣＣＣＨ）及び専用制御チャネル（ＤＣＣＨ）を含む。ＢＣＣＨは、ブロードキャストシステム制御情報のためのＤＬチャネルである。ＰＣＣＨは、ページング情報、システム情報変更通知を送信するＤＬチャネルである。ＣＣＣＨは、ＵＥとネットワーク間に制御情報を送信するためのチャネルである。このチャネルは、ネットワークとＲＲＣ接続のないＵＥに使用される。ＤＣＣＨは、ＵＥとネットワーク間に専用制御情報を送信するポイントツーポイント双方向チャネルである。このチャネルは、ＲＲＣ接続のあるＵＥにより使用される。
【００３７】
トラフィックチャネルは、ユーザプレーン情報送信にのみ使用される。トラフィックチャネルには専用のトラフィックチャネル（ＤＴＣＨ）が含まれる。ＤＴＣＨは、ユーザ情報の送信のための１つのＵＥ専用のポイントツーポイントチャネルである。ＤＴＣＨはＵＬとＤＬの両方ともに存在することができる。
【００３８】
論理チャネルと送信チャネルとの間のマッピングに関して、ＤＬにおいて、ＢＣＣＨはＢＣＨにマッピングされ、ＢＣＣＨはＤＬ−ＳＣＨにマッピングされ、ＰＣＣＨはＰＣＨにマッピングされ、ＣＣＣＨはＤＬ−ＳＣＨにマッピングされ、ＤＣＣＨはＤＬ−ＳＣＨにマッピングされ、ＤＴＣＨはＤＬ−ＳＣＨにマッピングされる。ＵＬにおいて、ＣＣＣＨはＵＬ−ＳＣＨにマッピングされ、ＤＣＣＨはＵＬ−ＳＣＨにマッピングされ、ＤＴＣＨはＵＬ−ＳＣＨにマッピングされる。
【００３９】
図５は、本発明の技術的特徴が適用できるＮＧ−ＲＡＮと５ＧＣとの間の機能的な分割を示す。
【００４０】
図５を参照すると、ｇＮＢ及びｎｇ−ｅＮＢは、下記の機能をホストすることができる。
【００４１】
−無線リソース管理のための機能：無線ベアラ制御、無線許可制御、接続移動性制御、アップリンク及びダウンリンク（スケジューリング）の全てでＵＥに対するリソースの動的割当；
【００４２】
−データのＩＰヘッダ圧縮、暗号化及び無欠性保護；
【００４３】
−ＡＭＦへのルーティングがＵＥにより提供された情報から決定されることができない場合、ＵＥアタッチ（ａｔｔａｃｈ）の時、ＡＭＦの選択；
【００４４】
−ユーザプレーンデータをＵＰＦ（ら）でルーティング；
【００４５】
−ＡＭＦに向かう制御プレーン情報のルーティング；
【００４６】
−接続設定及び解除；
【００４７】
−ページングメッセージのスケジューリング及び送信；
【００４８】
−（ＡＭＦまたはＯ＆Ｍから発生する）システム放送情報のスケジューリング及び送信；
【００４９】
−移動性及びスケジューリングのための測定及び測定報告構成；
【００５０】
−アップリンクでの送信レベルパケットマーキング；
【００５１】
−セッション管理；
【００５２】
−ネットワークスライシングのサポート；
【００５３】
−ＱｏＳフロー管理及びデータ無線ベアラへのマッピング；
【００５４】
−ＲＲＣ＿ＩＮＡＣＴＩＶＥ状態にあるＵＥのサポート；
【００５５】
−ＮＡＳメッセージの分配機能；
【００５６】
−無線アクセスネットワーク共有；
【００５７】
−二重接続性；
【００５８】
−ＮＲとＥ−ＵＴＲＡとの間の緊密な連動（ｉｎｔｅｒｗｏｒｋｉｎｇ）。
【００５９】
ＡＭＦ（Ａｃｃｅｓｓ  ａｎｄ  Ｍｏｂｉｌｉｔｙ  Ｍａｎａｇｅｍｅｎｔ  Ｆｕｎｃｔｉｏｎ）は、下記の主要機能をホストすることができる。
【００６０】
−ＮＡＳシグナリング終端
【００６１】
−ＮＡＳシグナリングセキュリティ；
【００６２】
−ＡＳセキュリティ制御；
【００６３】
−３ＧＰＰアクセスネットワーク間の移動性のためのインターＣＮノードシグナリング；
【００６４】
−アイドル（ｉｄｌｅ）モードＵＥ到達可能性（ページング再送信の制御及び実行を含む）；
【００６５】
−登録領域管理；
【００６６】
−イントラ−システム及びインター−システム移動性のサポート；
【００６７】
−アクセス認証；
【００６８】
−ローミング権限のチェックを含むアクセス認証；
【００６９】
−移動性管理制御（加入及び政策）；
【００７０】
−ネットワークスライシングのサポート；
【００７１】
−ＳＭＦ選択。
【００７２】
ＵＰＦ（Ｕｓｅｒ  Ｐｌａｎｅ  Ｆｕｎｃｔｉｏｎ）は、下記の主要機能をホストすることができる。
【００７３】
−イントラ／インター−ＲＡＴ移動性のためのアンカーポイント（適用可能な場合）；
【００７４】
−データネットワークに対する相互接続の外部ＰＤＵセッションポイント；
【００７５】
−パケットルーティング及びフォワーディング；
【００７６】
−パケット検査（ｉｎｓｐｅｃｔｉｏｎ）及び政策規則適用（ｅｎｆｏｒｃｅｍｅｎｔ）のユーザプレーン部分；
【００７７】
−トラフィック使用報告；
【００７８】
−データネットワークにトラフィックフローをルーティングすることをサポートするアップリンク分類子；
【００７９】
−マルチ−ホームＰＤＵセッションをサポートする分岐ポイント（ｂｒａｎｃｈｉｎｇ  ｐｏｉｎｔ）；
【００８０】
−ユーザプレーンに対するＱｏＳ取扱、例えば、パケットフィルタリング、ゲーティング、ＵＬ／ＤＬ料金執行（ｒａｔｅ  ｅｎｆｏｒｃｅｍｅｎｔ）；
【００８１】
−アップリンクトラフィック検証（ＱｏＳフローマッピングに対するＳＤＦ）；
【００８２】
−ダウンリンクパケットバッファリング及びダウンリンクデータ通知トリガリング；
【００８３】
セッション管理機能（ＳＭＦ）は、下記の主要機能をホストすることができる。
【００８４】
−セッション管理；
【００８５】
−ＵＥ  ＩＰアドレス割当及び管理；
【００８６】
−ＵＰ機能の選択及び制御；
【００８７】
−トラフィックを適切な目的地（ｄｅｓｔｉｎａｔｉｏｎ）へルーティングするためにＵＰＦでトラフィック調整（ｓｔｅｅｒｉｎｇ）を構成する；
【００８８】
−政策執行及びＱｏＳの制御部分；
【００８９】
−ダウンリンクデータ通知。
【００９０】
以下、ＭＲ−ＤＣ（Ｍｕｌｔｉ−ＲＡＴ  Ｄｕａｌ  Ｃｏｎｎｅｃｔｉｖｉｔｙ）について説明する。
【００９１】
ＮＧ−ＲＡＮは、ＭＲ−ＤＣ動作をサポートすることができ、これにより、ＲＲＣ＿ＣＯＮＮＥＣＴＥＤのＵＥは、非理想的バックホール（ｎｏｎ−ｉｄｅａｌ  ｂａｃｋｈａｕｌ）を介して接続され、Ｅ−ＵＴＲＡ（すなわち、ノードがｎｇ−ｅＮＢである場合）又はＮＲアクセス（すなわち、ノードがｇＮＢである場合）を提供する２つの他のＮＧ−ＲＡＮノードに位置する、２つの区別されるスケジューラにより提供される無線リソースを活用するように構成される。１つのノードはマスタノード（ＭＮ）として作動し、他のノードはセカンダリノード（ＳＮ）として作動する。ＭＮ及びＳＮは、ネットワークインタフェースを介して接続され、少なくとも、ＭＮはコアネットワークに接続される。
【００９２】
図６は、本発明の技術的特徴が適用できるＥＰＣを利用したＭＲ−ＤＣのアーキテクチャを示す。
【００９３】
Ｅ−ＵＴＲＡＮは、Ｅ−ＵＴＲＡ−ＮＲ二重接続（ＥＮ−ＤＣ）を介してＭＲ−ＤＣをサポートすることができ、ここで、ＵＥはＭＮの役割をする１つのｅＮＢ及びＳＮの役割をする１つのｅｎ−ｇＮＢに接続される。ｅＮＢは、Ｓ１インタフェースを介してＥＰＣに接続され、Ｘ２インタフェースを介してｅｎ−ｇＮＢに接続される。ｅｎ−ｇＮＢはまた、Ｓ１−Ｕインタフェースを介してＥＰＣに接続され、Ｘ２−Ｕインタフェースを介して他のｅｎ−ｇＮＢに接続される。
【００９４】
また、ＮＧ−ＲＡＮは、ＮＧ−ＲＡＮ  Ｅ−ＵＴＲＡ−ＮＲ二重接続（ＮＧＥＮ−ＤＣ）をサポートし、ここで、ＵＥは、ＭＮの役割をする１つのｎｇ−ｅＮＢ及びＳＮの役割をする１つのｇＮＢに接続される。ｎｇ−ｅＮＢが５ＧＣに接続され、ｇＮＢがＸｎインタフェースを介してｎｇ−ｅＮＢに接続される。また、ＮＧ−ＲＡＮは、ＮＲ−Ｅ−ＵＴＲＡ二重接続（ＮＥ−ＤＣ）をサポートし、ここで、ＵＥは、ＭＮとして作用する１つのｇＮＢ及びＳＮとして作用する１つのｎｇ−ｅＮＢに接続される。ｇＮＢは５ＧＣ接続され、ｎｇ−ｅＮＢはＸｎインタフェースを介してｇＮＢに接続される。
【００９５】
以下、ＲＲＣ非活性状態について説明する。
【００９６】
ＲＲＣ＿ＩＮＡＣＴＩＶＥは、ＵＥが接続管理（ｃｏｎｎｅｃｔｉｏｎ  ｍａｎａｇｅｍｅｎｔ：ＣＭ）−ＣＯＮＮＥＣＴＥＤ状態を維持し、ＮＧ−ＲＡＮに知らせずにＮＧ−ＲＡＮで構成された領域内で移動できる状態である。ＲＲＣ＿ＩＮＡＣＴＩＶＥにおいて、最後のサービングｇＮＢノードは、ＵＥコンテキスト及びサービングＡＭＦ  ＵＰＦ及びＵＰＦとのＵＥ−連関ＮＧ接続を維持する。
【００９７】
ＵＥがＲＲＣ＿ＩＮＡＣＴＩＶＥにある間、最後のサービングｇＮＢがＵＰＦからＤＬデータを受信するか、ＡＭＦからＵＥシグナリング（ＵＥ解除命令及びリセットメッセージを除く）を受信すると、ＲＡＮ−ベース通知領域（ＲＮＡ）に対応するセル内でページングし、ＲＮＡが隣のｇＮＢ（ら）のセルを含むと、隣のｇＮＢ（ら）にＲＡＮ  ＸｎＡＰページングを送信することができる。
【００９８】
ＵＥがＲＲＣ＿ＩＮＡＣＴＩＶＥにある間、最後のサービングＮＧ−ＲＡＮノードがＡＭＦからＵＥ解除命令メッセージを受信すると、ＵＥコンテキスト解除完了メッセージ（Ｃｏｎｔｅｘｔ  Ｒｅｌｅａｓｅ  Ｃｏｍｐｌｅｔｅ  ｍｅｓｓａｇｅ）として応答しなければならない。
【００９９】
ＡＭＦは、ＵＥがＲＲＣ＿ＩＮＡＣＴＩＶＥに転換できるかに関するＮＧ−ＲＡＮノードの決定を助けるためにＮＧ−ＲＡＮノードにＲＲＣ非活性補助情報（Ｉｎａｃｔｉｖｅ  Ａｓｓｉｓｔａｎｔ  Ｉｎｆｏｒｍａｔｉｏｎ）を提供する。ＲＲＣ非活性補助情報は、ＵＥに対して構成された登録領域、ＵＥ特定ＤＲＸ、周期的登録アップデートタイマ、ＵＥがＡＭＦによりＭＩＣＯ（Ｍｏｂｉｌｅ  Ｉｎｉｔｉａｔｅｄ  Ｃｏｎｎｅｃｔｉｏｎ  Ｏｎｌｙ）モードで構成された場合の指示及びＵＥ身元インデックス値を含む。ＵＥ登録領域は、ＲＡＮベース通知領域を構成するとき、ＮＧ−ＲＡＮノードにより考慮される。ＵＥ特定ＤＲＸ及びＵＥ身元インデックス値は、ＲＡＮページングのためにＮＧ−ＲＡＮノードにより使用される。周期的登録アップデートタイマは、ＮＧ−ＲＡＮノードにおいて周期的ＲＡＮ通知領域アップデートタイマを構成するために考慮される。
【０１００】
ＲＲＣ＿ＩＮＡＣＴＩＶＥへの転換において、ＮＧ−ＲＡＮノードは、周期的ＲＮＡアップデートタイマ値でＵＥを構成することができる。
【０１０１】
ＵＥが最後のサービングｇＮＢ以外の他のｇＮＢにアクセスする場合、受信ｇＮＢは、ＸｎＡＰ検索ＵＥコンテキスト手順をトリガーして最後のサービングｇＮＢからＵＥコンテキストを取得し、また、最後のサービングｇＮＢからのデータの潜在的復旧のためのトンネル情報を含むデータ伝達手順をトリガーすることができる。成功的なＵＥコンテキスト検索によって、受信ｇＮＢは、スライス情報を受信する場合、スライス認識許可制御（ｓｌｉｃｅ−ａｗａｒｅ  ａｄｍｉｓｓｉｏｎ  ｃｏｎｔｒｏｌ）を行い、サービングｇＮＢになり、ＮＧＡＰ経路転換要求手順をさらにトリガーする。経路転換手順の後、サービングｇＮＢは、ＸｎＡＰ  ＵＥコンテキスト解除手順により最後のサービングｇＮＢにおいてＵＥコンテキストの解除をトリガーする。
【０１０２】
ＵＥが最後のサービングｇＮＢにおいて到達できない場合、ｇＮＢは（存在するなら）ＡＭＦ開始ＵＥ−連関クラス１の手順に失敗しなければならず、ＵＥに対するＡＭＦから受信された任意のＮＡＳ  ＰＤＵの非伝達を報告するようにＮＡＳ非伝達指示（Ｎｏｎ  Ｄｅｌｉｖｅｒｙ  Ｉｎｄｉｃａｔｉｏｎ）手順をトリガーしなければならない。
【０１０３】
ＵＥが最後のサービングｇＮＢ以外の他のｇＮＢにアクセスし、受信ｇＮＢが有効なＵＥコンテキストを発見しないと、ｇＮＢは、以前ＲＲＣ接続の再開の代わりに新しいＲＲＣ接続の設定（ｅｓｔａｂｌｉｓｈｍｅｎｔ）を行う。
【０１０４】
ＲＲＣ＿ＩＮＡＣＴＩＶＥ状態のＵＥは、構成されたＲＮＡの外部に移動するとき、ＲＮＡアップデート手順を開始しなければならない。ＵＥからＲＮＡアップデート要求を受信するとき、受信ｇＮＢは、ＸｎＡＰ検索ＵＥコンテキスト手順をトリガーして最後のサービングｇＮＢからＵＥコンテキストを取得し、ＵＥをＲＲＣ＿ＩＮＡＣＴＩＶＥの状態に再び戻すか、ＵＥをＲＲＣ＿ＣＯＮＮＥＣＴＥＤの状態に移動させるか、またはＵＥをＲＲＣ＿ＩＤＬＥ状態に移動させるように決定することができる。
【０１０５】
図７は、本発明の技術的特徴が適用できるＵＥによりトリガーされるＲＲＣ状態遷移（ｔｒａｎｓｉｔｉｏｎ）の手順を示す。
【０１０６】
図７に示すように、ステップＳ７１０で、ＵＥは、最後のサービングｇＮＢにより割り当てられた非活性ＲＮＴＩ（Ｉ−ＲＮＴＩ）を提供して、ＲＲＣ＿ＩＮＡＣＴＩＶＥから再開される。
【０１０７】
ステップＳ７２０で、ｇＮＢは、Ｉ−ＲＮＴＩに含まれたｇＮＢ身元を決定（ｒｅｓｏｌｖｅ）できると、最後のサービングｇＮＢにＵＥコンテキストデータを提供するように要求する。
【０１０８】
ステップＳ７３０で、最後のサービングｇＮＢはＵＥコンテキストデータを提供する。
【０１０９】
ステップＳ７４０で、ｇＮＢはＲＲＣ接続の再開を完了する。
【０１１０】
ステップＳ７５０で、最後のサービングｇＮＢにおいてバッファリングされたＤＬユーザデータの損失が防止されるべきである場合、ｇＮＢは伝達アドレス（ｆｏｒｗａｒｄｉｎｇ  ａｄｄｒｅｓｓｅｓ）を提供する。
【０１１１】
ステップＳ７６０及びＳ７７０で、ｇＮＢは経路転換を行う。
【０１１２】
ステップＳ７８０で、ｇＮＢは最後のサービングｇＮＢにおいてＵＥリソースの解除をトリガーする。
【０１１３】
ステップＳ７１０の以後、ｇＮＢが再開要求を拒否することに決定し、ＵＥを任意の再構成なしにＲＲＣ＿ＩＮＡＣＴＩＶＥで維持するか、ｇＮＢが新しいＲＲＣ接続を設定すると決定するとき、（セキュリティなしに）ＳＲＢ０が使用されることができる。ｇＮＢがＵＥを（例えば、新しいＤＲＸサイクル又はＲＮＡで）再構成することに決定するとき又はｇＮＢがＵＥをＲＲＣ＿ＩＤＬＥにプッシュすることに決定するとき、（少なくとも無欠性保護を有する）ＳＲＢ１が使用されなければならない。ＳＲＢ１は、ＵＥコンテキストが検索された後、すなわち、ステップＳ７３０の後にのみ使用されることができる。
【０１１４】
図８は、本発明の技術的特徴が適用できるネットワークによりトリガーされるＲＲＣ状態遷移の手順を示す。
【０１１５】
図８に示すように、ステップＳ８１０で、ＲＡＮページングトリガーイベント（インカミングＤＬユーザプレーン、５ＧＣなどからのＤＬシグナリングなど）が発生する。
【０１１６】
ステップＳ８２０で、ＲＡＮページングがトリガーされる。最後のサービングｇＮＢにより制御されるセルにおいてのみ制御されるか、又はＲＮＡにおいてＵＥで構成された他のｇＮＢにより制御されるセルにおいてＸｎ  ＲＡＮページングによりも制御される。
【０１１７】
ステップＳ８３０で、ＵＥはＩ−ＲＮＴＩでページングされる。
【０１１８】
ステップＳ８４０で、ＵＥが成功的に到達した場合、図７に示すように、ＲＲＣ＿ＩＮＡＣＴＩＶＥから再開を試みる。
【０１１９】
一方、初期ＮＲ配置がＬＴＥの小型セルと同一であり得ることを考慮すると、大部分のＵＥは、ＲＲＣ＿ＣＯＮＮＥＣＴＥＤにある間、ＤＣで構成される可能性が高い。また、ＮＲの設計目標はＵＥが「常に接続された（ａｌｗａｙｓ  ｃｏｎｎｅｃｔｅｄ）」状態を維持することを許容するため、ＲＲＣ＿ＣＯＮＮＥＣＴＥＤのＵＥを除いた大部分のＵＥがＲＲＣ＿ＩＮＡＣＴＩＶＥに留まる可能性が高い。従って、ＤＣ構成を有するＲＲＣ＿ＩＮＡＣＴＩＶＥへのＲＲＣ接続中断がサポートされることがある。
【０１２０】
ＤＣで構成されたＵＥがＲＲＣ＿ＩＮＡＣＴＩＶＥに移動すると、ＲＲＣ＿ＩＮＡＣＴＩＶＥにある間、ＮＧ−ＲＡＮ接続が維持されるため、データ（例えば、ユーザプレーンデータ）はセカンダリノード（ＳＮ）に到達することができる。この場合、データ及び／又はシグナリングを受信するために、セカンダリセルグループ（ＳＣＧ）ベアラを再開することがさらに有利である。しかしながら、ＲＲＣ＿ＩＮＡＣＴＩＶＥのＵＥは、事前構成のＲＮＡ内のネットワークに通知なしに移動できるため、ＵＥに格納されたＳＣＧ構成は有効でないことがある。例えば、ＵＥがＲＡＮページングに応答する場合、ＵＥがＳＣＧセルのカバレッジを外れると、ＵＥに格納されたＳＣＧ構成が有効でないことがある。また、インカミングデータ及び／又はマスタノード（ＭＮ）でのシグナリングによりＲＡＮページングされても、まだ有効でないＳＣＧ構成を再開する必要があることではない。従って、ＲＡＮページングを受信するとき、ＵＥがＳＣＧ構成を効率的に管理する方法及びそれをサポートする装置が提案される必要がある。
【０１２１】
以下、本発明の一実施形態によるＵＥがＳＣＧ構成を維持又は解除する方法及びこれをサポートする装置について詳しく説明する。本明細書において、ＲＲＣ＿ＩＮＡＣＴＩＶＥは、非活性状態、ＬＴＥにおける軽量接続、一時中断状態又はｅＬＴＥにおける軽量接続と称されてもよい。ＲＡＮノードは、ＮＲのｇＮＢ、ＬＴＥのｅＮＢ又はｅＬＴＥのｅＮＢの少なくとも１つであり得る。ＭＮ及びＳＮは、それぞれマスタ基地局及びセカンダリ基地局と呼ばれてもよい。また、ＤＣで構成されたＭＮ及びＳＮは、ＮＲ及びＮＲ、Ｅ−ＵＴＲＡＮ及びＥ−ＵＴＲＡＮ、ＮＲ及びＥ−ＵＴＲＡＮ又はＥ−ＵＴＲＡＮ及びＮＲの組み合わせの少なくとも１つを有することができる。
【０１２２】
本発明の一実施形態によると、ＵＥは、ＲＡＮページングに応答してＳＣＧ構成を処理する。ＵＥは、ＤＣで構成される。また、ＵＥは、ＲＲＣ＿ＩＮＡＣＴＩＶＥの状態にある。ＵＥはＤＣで構成され、ＵＥはＤＣ構成を維持できる間、非活性状態に遷移されることができる。
【０１２３】
図９は、本発明の一実施形態によるＲＡＮページングに応答してＳＣＧ構成を処理するための手順を示す。
【０１２４】
図９に示すように、ステップＳ９００で、端末はＤＣで構成される。また、ＵＥは、ＲＲＣ＿ＩＮＡＣＴＩＶＥの状態に進入する。
【０１２５】
ステップＳ９１０で、上位層は、データ及び／又はシグナリングをセカンダリノードに送信する。代案的に、ステップＳ９１５で、上位層は、データ及び／又はシグナリングをマスタノードに送信する。上位層はゲートウェイであり得る。
【０１２６】
ＵＥに対するデータ及び／又はシグナリングがセカンダリノードに到達するとき（すなわち、Ｓ９１０）、ＲＡＮページングメッセージは次のオプションで送信される。ページングメッセージは、データ及び／又はシグナリングがセカンダリノードにおいて受信されたことを指示する。
【０１２７】
−オプション１（マスタノードにより生成されたＲＡＮページングメッセージ）
【０１２８】
ステップＳ９２０で、マスタノードは、セカンダリノードにおいて受信されたデータ及び／又はシグナリングにより誘発されたページングインジケータを有するＲＡＮページングメッセージを生成することができる。例えば、ＲＡＮページングメッセージには、ＲＡＮページングメッセージがセカンダリノードにおいて受信されたデータにより誘発されることを示す指示を含むことができる。このために、ＵＥに対するデータ及び／又はシグナリングがセカンダリノード（すなわち、Ｓ９１０）に到逹するとき、セカンダリノードは、データ及び／又はシグナリングがセカンダリノードに到達するということを指示する指示をマスタノードに送信することができる。ＵＥに対するデータ及び／又はシグナリングがセカンダリノードに到達するとき（すなわち、Ｓ９１０）、セカンダリノードは、インカミングデータ及び／又はシグナリングをマスタノードに伝達（ｆｏｒｗａｒｄ）することができる。
【０１２９】
マスタノードにより生成されたＲＡＮページングメッセージは、マスタノード又はセカンダリノードを介して送信される。例えば、ステップＳ９３０で、マスタノードにより生成されたＲＡＮページングメッセージはマスタノードを介して送信される。例えば、ステップＳ９３５において、マスタノードにより生成されたＲＡＮページングメッセージは、セカンダリノードを介して送信される。この場合、マスタノードが生成したＲＡＮページングメッセージは、セカンダリノードに伝達（ｔｒａｎｆｅｒ）される。
【０１３０】
−オプション２（セカンダリノードにおいて生成されたＲＡＮページングメッセージ）
【０１３１】
ステップＳ９２０で、セカンダリノードは、ＲＡＮページングメッセージを自体的に生成することができる。ＲＡＮページングメッセージは、セカンダリノードにのみ割り当てられた、すなわち、セカンダリノードにより割り当てられた特定ＲＡＮ  ＵＥ  ＩＤを含む。セカンダリノードにより生成されたＲＡＮページングメッセージは、マスタノード又はセカンダリノードを介して送信される。例えば、ステップＳ９３０で、セカンダリノードにより生成されたＲＡＮページングメッセージは、マスタノードを介して送信される。この場合、セカンダリノードが生成したＲＡＮページングメッセージは、マスタノードに伝達される。例えば、ステップＳ９３５で、セカンダリノードにより生成されたＲＡＮページングメッセージは、セカンダリノードを介して送信される。セカンダリノードにより割り当てられたＲＡＮ  ＵＥ  ＩＤがＵＥに提供されると、ＵＥは、プライマリ周波数及びＰＳＣｅｌｌに連関した周波数の全てにおいてページングメッセージをモニタする。
【０１３２】
−オプション３（マスタノードにより生成されたＲＡＮページングメッセージ）
【０１３３】
ステップＳ９２０で、マスタノードは、ＲＡＮページングメッセージを生成することができる。ＲＡＮページングメッセージはマスタノードにより割り当てられた特定ＲＡＮ  ＵＥ  ＩＤを含む。マスタノードにより割り当てられた特定ＲＡＮ  ＵＥ  ＩＤは、セカンダリノードにおいてＵＥを区別する。すなわち、マスタノードは、セカンダリノードがＵＥを区別できるように特定ＲＡＮ  ＵＥ  ＩＤを割り当てる。マスタノードにより生成されたＲＡＮページングメッセージは、マスタノード又はセカンダリノードを介して送信される。例えば、ステップＳ９３０で、マスタノードにより生成されたＲＡＮページングメッセージは、マスタノードを介して送信される。例えば、ステップＳ９３５で、マスタノードにより生成されたＲＡＮページングメッセージは、セカンダリノードを介して送信される。この場合、マスタノードが生成したＲＡＮページングメッセージは、セカンダリノードに伝達されることがある。マスタノードにより割り当てられたＲＡＮ  ＵＥ  ＩＤがＵＥに提供されると、ＵＥは、プライマリ周波数及びＰＳＣｅｌｌに連関した周波数の全てにおいてページングメッセージをモニタする。
【０１３４】
ＵＥに対するデータ及び／又はシグナリングがマスタノードに到達するとき（すなわち、Ｓ９１５）、ＲＡＮページングメッセージはセカンダリノードにおいて受信されたデータ及び／又はシグナリングにより誘発されたページングのインジケータを含まないことがある。この場合、ステップＳ９２０で、マスタノード又はセカンダリノードは、レガシーＲＡＮページングメッセージを生成することができる。マスタノード又はセカンダリノードにより生成されたレガシーＲＡＮページングメッセージは、マスタノード又はセカンダリノードを介して送信される。レガシーＲＡＮページングメッセージは、ＲＡＮページングメッセージがセカンダリノードにおいて受信されたデータにより誘発されることを指示する指示を含まないことがある。また、レガシーＲＡＮページングメッセージは、セカンダリノードにのみ割り当てられた、すなわち、セカンダリノードにより割り当てられた特定ＲＡＮ  ＵＥ  ＩＤを含まないことがある。
【０１３５】
ステップＳ９４０で、ＵＥは、ＲＡＮページングメッセージに基づいて、ＵＥに格納されたＳＣＧ構成を解除するか否かを決定することができる。
【０１３６】
ＲＡＮページングメッセージがセカンダリノードにおいてインカミングデータ及び／又はシグナリングを指示する場合、ステップＳ９５０で、ＵＥは、ＳＣＧ構成をＲＲＣ再開手順において維持することができる。ＲＡＮページングメッセージがセカンダリノードに割り当てられた、すなわち、セカンダリノードにより割り当てられた特定ＲＡＮ  ＵＥ  ＩＤを含む場合、ステップＳ９５０で、ＵＥは、ＳＣＧ構成をＲＲＣ再開手順において維持することができる。ＲＡＮページングメッセージがセカンダリノードにおいて受信されたデータ及び／又はシグナリングにより誘発されたページングインジケータを含む場合、ステップＳ９５０で、ＵＥは、ＳＣＧ構成をＲＲＣ再開手順において維持することができる。ＲＡＮページングメッセージが、セカンダリノードがＵＥを区別できるようにするためにマスタノードにより割り当てられた特定ＲＡＮ  ＵＥ  ＩＤを含む場合、ステップＳ９５０で、ＵＥは、ＳＣＧ構成をＲＲＣ再開手順において維持することができる。ステップＳ９６０で、ＵＥは、ＲＲＣ接続活性又はＲＲＣ接続再開に使用されるメッセージにＳＣＧ構成が維持されるか否かに関するインジケータを含むことができる。ＵＥがセカンダリノードにおいてインカミングデータ及び／又はシグナリングを指示するＲＡＮページングメッセージを受信すると、ＵＥは、以前に構成されたＳＣＧ構成が依然として維持されるか、格納されることを指示することができる。
【０１３７】
ＵＥがマスタノードから送信されるＲＡＮページングメッセージを受信すると、ステップＳ９５０で、ＵＥは、ＵＥに格納されたＳＣＧ構成を解除する。すなわち、ＲＡＮページングメッセージがセカンダリノードでのインカミングデータ及び／又はシグナリングを指示しないと、ステップＳ９５０で、ＵＥは、ＵＥに格納されたＳＣＧ構成を解除する。ＵＥがＣＮ  ＵＥ  ＩＤにコアネットワーク（ＣＮ）ページングメッセージを受信すると、ステップＳ９５０で、ＵＥは、ＵＥに格納されたＳＣＧ構成を解除する。ＳＣＧ構成を解除する場合、全体のＳＣＧ構成が解除されることがある。代案的に、ＳＣＧ構成を解除する場合、ＳＣＧ構成の一部が解除されることがある。例えば、ＳＣＧ構成のサブ層構成は解除されることがあるが、無線ベアラ構成は解除されないことがある。例えば、ＤＲＢ構成を除いてＳＣＧ構成が解除されることがある。ステップＳ９６０で、ＵＥは、ＲＲＣ接続活性化又はＲＲＣ接続再開に使用されるメッセージにおいてＳＣＧ構成が削除されるか否かのインジケータを含むことができる。ＵＥがセカンダリノードでのインカミングデータ及び／又はシグナリングの指示なしにＲＡＮページングメッセージを受信すると、ＵＥは、以前に構成されたＳＣＧ構成が解除されたことを指示することができる。ＵＥからメッセージを受信したＲＡＮノードは、インジケータに基づいてＳＮ解除手順を行う。
【０１３８】
図１０は、本発明の一実施形態によるＲＡＮページングに応答してＳＣＧ構成を解除する手順を示す。
【０１３９】
図１０に示すように、ＲＲＣ＿ＩＮＡＣＴＩＶＥにおいてＤＣで構成されたＵＥは、マスタノードからＲＡＮページングメッセージを受信する。
【０１４０】
ステップＳ１０００で、ＵＥは、ＤＣ及びＲＲＣ＿ＩＮＡＣＴＩＶＥ状態で構成される。従って、ＵＥは、マスタセルグループ（ＭＣＧ）構成及びＳＣＧ構成を格納することができる。
【０１４１】
ステップＳ１０１０で、ＵＥは、ページングメッセージを受信し、ページングレコードに含まれたｕｅ−ＩｄｅｎｔｉｔｙはアンカーｇＮＢにより割り当てられたＲＡＮ  ＵＥ  ＩＤと一致する。その後、ＵＥは、ＭＴ呼び出しに対してＲＲＣ＿ＩＮＡＣＴＩＶＥからＲＲＣ接続再開手順を開始することができる。
【０１４２】
ステップＳ１０２０で、ＵＥは、（ｄｒｂ−ＴｏＡｄｄＭｏｄＬｉｓｔＳＣＧによって構成されたように）ＤＲＢの構成を除いたＳＣＧ構成を解除することができる。
【０１４３】
ステップＳ１０３０で、ＵＥは、ＳＣＧ構成廃棄インジケータと共にＲＲＣ接続再開の要求メッセージの送信を開始する。
【０１４４】
ステップＳ１０４０で、ネットワークは、ＵＥからのＳＣＧ構成廃棄インジケータに基づいてＳｇＮＢ解除手順を行う。
【０１４５】
図１１は、本発明の一実施形態によるＲＡＮページングに応答してＳＣＧ構成を維持する手順を示す。
【０１４６】
図１１に示すように、ＲＲＣ＿ＩＮＡＣＴＩＶＥにおいてＤＣで構成されたＵＥはＳＮに到着するインカミングデータを示すＲＡＮページングメッセージを受信する。
【０１４７】
ステップＳ１１００で、ＵＥは、ＤＣ及びＲＲＣ＿ＩＮＡＣＴＩＶＥ状態で構成される。従って、ＵＥは、マスタセルグループ（ＭＣＧ）構成及びＳＣＧ構成を格納する。
【０１４８】
ステップＳ１１１０で、ＵＥは、セカンダリノードに到達するインカミングデータを示すページングメッセージを受信し、ページングレコードに含まれたｕｅ−ＩｄｅｎｔｉｔｙはアンカーｇＮＢにより割り当てられたＲＡＮ  ＵＥ  ＩＤと一致する。その後、ＵＥは、ＭＴ呼び出しに対してＲＲＣ＿ＩＮＡＣＴＩＶＥからＲＲＣ接続再開手順を開始する。
【０１４９】
ステップＳ１１２０で、ＵＥは、ＲＲＣ接続再開の要求メッセージの送信を開始する。ＲＲＣ接続再開要求メッセージは、ＳＣＧ構成が維持されたことを示すインジケータを含む。従って、ネットワークは、ＲＲＣ接続再開要求メッセージに含まれたインジケータに基づいてＳｇＮＢ解除手順を行わないことがある。
【０１５０】
図１２は、本発明の一実施形態によるＵＥがＳＣＧ構成を維持する方法を示すブロック図である。
【０１５１】
図１２に示すように、ステップＳ１２１０で、ＵＥは、基地局からＲＡＮページングメッセージを受信する。ＵＥは、ＲＲＣ＿ＩＮＡＣＴＩＶＥの状態にある。ＵＥは二重接続で構成される。
【０１５２】
ステップＳ１２２０で、ＵＥは、ＲＡＮページングメッセージに基づいて、ＵＥに格納されたＳＣＧ構成を維持するか否かを決定する。
【０１５３】
ステップＳ１２３０で、ＲＡＮページングメッセージがセカンダリ基地局に関する情報を含む場合、ＵＥは、ＳＣＧ構成をＲＲＣ再開手順において維持する。ＳＣＧ構成は、ＲＲＣ再開手順を開始するときに維持される。
【０１５４】
セカンダリ基地局に関する情報は、ＲＡＮページングメッセージが補助基地局において受信されたデータにより誘発されることを示す。セカンダリ基地局において受信されたデータは、ゲートウェイからセカンダリ基地局に送信されたデータであり得る。
【０１５５】
ＲＡＮページングメッセージは、マスタ基地局により生成される。データがセカンダリ基地局において受信されるとき、セカンダリノードにおいて受信されたデータを指示する指示がセカンダリノードからマスタ基地局に送信される。セカンダリノードにおいて受信されたデータは、セカンダリ基地局においてデータが受信されるとき、セカンダリノードからマスタ基地局に送信される。
【０１５６】
セカンダリ基地局に関する情報は、セカンダリ基地局により割り当てられたＲＡＮ  ＵＥ  ＩＤであり得る。ＲＡＮページングメッセージは、セカンダリ基地局により生成されることができる。
【０１５７】
セカンダリ基地局に関する情報は、セカンダリノードがＵＥを区別できるようにマスタの基地局により割り当てられたＲＡＮ  ＵＥ  ＩＤであり得る。
【０１５８】
また、ＵＥは、ＳＣＧ構成が維持されるか否かを示すＲＲＣ接続再開要求に対するメッセージを基地局に送信する。
【０１５９】
また、ＲＡＮページングメッセージがセカンダリ基地局に関する情報を含まないと、ＵＥは、ＲＲＣ再開手順を開始する前にＳＣＧ構成を解除することができる。ＳＣＧ構成は、マスタ基地局により解除される。ＳＣＧ構成を解除する場合、全体のＳＣＧ構成が解除されることがある。代案的に、ＳＣＧ構成を解除する場合、ＳＣＧ構成の一部が解除されることがある。例えば、ＳＣＧ構成のサブ層構成は解除されることがあるが、無線ベアラ構成は解除されないことがある。例えば、ＤＲＢ構成を除いてＳＣＧ構成が解除されることがある。
【０１６０】
本発明の一実施形態によると、ＲＡＮページングメッセージがセカンダリ基地局に関する情報を含む場合、ＵＥは、ＳＣＧ構成をＲＲＣ再開手順において維持することができる。例えば、ＵＥは、受信されたＲＡＮページングメッセージがセカンダリノードに到達するインカミングデータを示す場合、ＲＲＣ再開手順においてＳＣＧ構成を維持する。従って、ユーザプレーンデータがセカンダリノードに到達する場合、ＳＣＧベアラは、データ及び／又はシグナリングを受信するために再開されてＳＣＧベアラが解除されることを防止する。
【０１６１】
図１３は、本発明の実施形態が具現される無線通信システムのブロック図である。
【０１６２】
基地局１３００は、プロセッサ１３０１、メモリ１３０２及び送受信機１３０３を含む。メモリ１３０２は、プロセッサ１３０１と接続され、プロセッサ１３０１を駆動するための多様な情報を格納する。送受信機１３０３は、プロセッサ１３０１と接続され、無線信号を送信及び／または受信する。プロセッサ１３０１は、提案された機能、過程及び／または方法を具現する。前述した実施形態において、基地局の動作は、プロセッサ１３０１により具現されることができる。
【０１６３】
端末１３１０は、プロセッサ（ｐｒｏｃｅｓｓｏｒ）１３１１、メモリ（ｍｅｍｏｒｙ）１３１２及び送受信機（ｔｒａｎｓｃｅｉｖｅｒ）１３１３を含む。メモリ１３１２は、プロセッサ１３１１と接続され、プロセッサ１３１１を駆動するための多様な情報を格納する。送受信機１３１３は、プロセッサ１３１１と接続され、無線信号を送信及び／または受信する。プロセッサ１３１１は、提案された機能、過程及び／または方法を具現する。前述した実施形態において、端末の動作は、プロセッサ１３１１により具現されることができる。
【０１６４】
プロセッサは、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／またはデータ処理装置を含むことができる。メモリは、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。送受信機は、無線信号を処理するためのベースバンド回路を含むことができる。実施形態がソフトウェアで具現される時、前述した技法は、前述した機能を行うモジュール（過程、機能など）で具現されることができる。モジュールは、メモリに格納され、プロセッサにより実行されることができる。メモリは、プロセッサの内部または外部にあり、よく知られた多様な手段でプロセッサと接続されることができる。
【０１６５】
前述した一例に基づいて本明細書による多様な技法が図面と図面符号を介して説明された。説明の便宜のために、各技法は、特定の順序によって複数のステップやブロックを説明したが、このようなステップやブロックの具体的順序は、請求項に記載された発明を制限するものではなく、各ステップやブロックは、異なる順序で具現され、または異なるステップやブロックと同時に実行されることが可能である。また、通常の技術者であれば、各ステップやブロックが限定的に記述されたものではなく、発明の保護範囲に影響を与えない範囲内で少なくとも１つの他のステップが追加されたり削除されたりすることが可能であるということを知ることができる。
【０１６６】
前述した実施形態は、多様な一例を含む。通常の技術者であれば、発明の全ての可能な一例の組み合わせが説明されることができないという点を知ることができ、また、本明細書の技術から多様な組み合わせが派生することができるという点を知ることができる。従って、発明の保護範囲は、請求の範囲に記載された範囲を外れない範囲内で、詳細な説明に記載された多様な一例を組み合わせて判断しなければならない。
【図１】
2020528684.tif 000003
【図２】
2020528684.tif 000004
【図３】
2020528684.tif 000005
【図４】
2020528684.tif 000006
【図５】
2020528684.tif 000007
【図６】
2020528684.tif 000008
【図７】
2020528684.tif 000009
【図８】
2020528684.tif 000010
【図９】
2020528684.tif 000011
【図１０】
2020528684.tif 000012
【図１１】
2020528684.tif 000013
【図１２】
2020528684.tif 000014
【図１３】
2020528684.tif 000015
【国際調査報告】
2020528684.tif 000016
2020528684.tif 000017